(57)【要約】特に紙又は厚紙のウェブである物質ウェブ（１）をコーティングするために使用されるデバイスのためのドクターブレードの自動配給システムは、システムのフレーム内に固定できるサポート（６）に順次取り付けされる、ドクターブレードベッド（４）のスロット内に保持される一方で自動配給要素として役立つ、ドクターブレードロッド（３）を有して存在する。本発明によると、ドクターブレードロッド（３）は、２５ｍｍ未満の直径を有する。ドクターブレードベッド（４）は、取り外し可能な手法で、ドクターブレードベッドの面に位置されたサポート（６）のスロット（１８）に挿入される。ドクターブレードロッド（３）の直径（ｍｍで測定）に対するドクターブレード（４）の断面エリア（ｍｍ２で測定）の比は、６０ｍｍ未満であり、好ましくは３０ｍｍ未満である。サポート（６）は、プラスチック物質から成り、少なくとも１本の後方に伸びるクランプリム（１３、１４）及び１つの結合位置（１５）を有するクランプのように形作られ、それによって、ドクターブレードベッド（４）を収容する保持スロット（１８）は、クランプマウスを形成する。互いに向けて保持スロット（１８）のスロット壁を押圧する締まる管（１６）は、クランプリム（１３）に位置される。
2005519753.tif 000002
【特許請求の範囲】
【請求項１】
システムのフレーム内に固定できるサポート（６）に取り付けられるドクターブレードベッド（４）のスロット内に保持される一方で、自動配給要素として役立つドクターブレードロッド（３）を有する、特に紙又は厚紙である、物質ウェブ（１）をコーティングするために使用されるデバイスのためのドクターブレードの自動配給システムであって、
前記ドクターブレードロッド（３）が２５ｍｍ未満の直径を有し、
前記ドクターブレードベッド（４）が前記サポート（６）の正面のスロット（１８）に取り外し式に挿入され、それによって前記ドクターブレードロッド（３）の直径（ｍｍ）に対する前記ドクターブレードベッド（４）の断面エリア（ｍｍ２）の比率が６０ｍｍ未満、好ましくは３０ｍｍ未満であり、
前記サポート（６）はプラスチック物質からなり、少なくとも一つの後方に伸びるクランプリム（１３、１４）及び一つの結合（１５）を有するクランプ状に形状化され、それによってドクターブレードベッド（４）を収容する保持スロット（１８）は、クランプあごを形成し、
互いに向かう保持スロットのスロット壁（１８）を押圧するクランプ管（１３）がクランプリム（１６）に配置されることを特徴とするドクターブレードの自動配給システム。
【請求項２】
前記サポート（６）の背面に、前記システムのフレームにサポートされて、前記ドクターブレードベッド（４）の方向に前記サポート（６）を押圧する圧力管（１２）が存在することを特徴とする請求項１に記載のドクターブレードの自動配給システム。
【請求項３】
前記ドクターブレードロッド（３）の直径（ｍｍ）に対する前記ドクターブレードベッド（４）の断面エリア（ｍｍ２）の比率が１０ｍｍ乃至２５ｍｍであることを特徴とする請求項１又は２に記載のドクターブレードの自動配給システム。
【請求項４】
前記ドクターブレードロッド（３）の直径は１６ｍｍ以下であり、前記ドクターブレードベッド（４）の断面エリアは１００ｍｍ２乃至４００ｍｍ２であることを特徴とする請求項１乃至３のうちの一項に記載のドクターブレードの自動配給システム。
【請求項５】
前記サポート（６）の前記スロット（１８）の開口部は、少なくとも一つの突出（１９）好ましくは２つの突出（１９）によって限定され、前記ドクターブレードベッド（４）は、前記ドクターブレードベッド（４）が挿入された場合に前記突出（１９）の背後の前記サポート（６）内に移動される広げられたセクション（２０）の対応する数を有することを特徴とする請求項１乃至４のうちの一項に記載のドクターブレードの自動配給システム。
【請求項６】
前記ドクターブレードベッド（４）は、少なくとも１８０°による挿入されたドクターブレードロッド（３）を包含することを特徴とする請求項１乃至５のうちの一項に記載のドクターブレードの自動配給システム。
【請求項７】
前記ドクターブレードベッド（４）及び／又はサポート（６）は、硬度が５０Ｓｈｏｒｅ  Ａ乃至６５Ｓｈｏｒｅ  Ｄの範囲である、エラストマー、好ましくはポリウレタンから成ることを特徴とする請求項１乃至６のうちの一項に記載のドクターブレードの自動配給システム。
【請求項８】
前記ドクターブレードベッド（４）及び／又はサポート（６）は、切断方法でもたらされたポリウレタンから成ることを特徴とする請求項１乃至６のうちの一項に記載のドクターブレードの自動配給システム。
【請求項９】
前記ドクターブレードベッドは、弾性材料から成ることを特徴とする請求項１乃至８のうちの一項に記載のドクターブレードの自動配給システム。
【請求項１０】
前記結合（１５）として、前記クランプ管（１６）と前記保持スロット（１８）との間の前記サポート（６）のエリアは薄くされた脆弱なスポットとして形態化されることを特徴とする請求項１乃至９のうちの一項に記載のドクターブレードの自動配給システム。
【請求項１１】
前記クランプ管（１６）の方向で前記ドクターブレードベッド（３）に対して放射状に測定された前記サポート（６）の厚さは、前記脆弱なスポットにおいて０．５ｍｍ乃至１０ｍｍ、好ましくは１ｍｍ乃至３ｍｍであることを特徴とする請求項１０に記載のドクターブレードの自動配給システム。
【発明の詳細な説明】
【技術分野】
【０００１】
本発明は、システムのフレーム内に固定できるサポート（６）に取り付けられて、自動配給要素（ｄｏｓｉｎｇ  ｅｌｅｍｅｎｔ）として役立ち、ドクターブレードベッド（ｄｏｃｔｏｒ  ｂｌａｄｅ  ｂｅｄ）（４）のスロット内に保持されるドクターブレードロッド（ｄｏｃｔｏｒ  ｂｌａｄｅ  ｒｏｄ）（３）を有し、特に、紙又は厚紙などの物質ウェブのコーティングのために使用される装置のためのドクターブレードの自動配給システム（ｄｏｃｔｏｒ  ｂｌａｄｅ  ｄｏｓｉｎｇ  ｓｙｓｔｅｍ）に関する。
【背景技術】
【０００２】
液体コーティング物質の余剰を適用するための応用システムと、所望の適用量が達成されるまで余剰のコーティング物質を削り取る自動配給要素としてドクターブレードロッドと適合した下流の自動配給システムとを有する、装置の手段によって連続した紙又は厚紙のウェブをコーティングする周知の手法である。適用及び自動配給処理は、ウェブをそらし、ウェブのコーティング物質の自動配給されたフィルムを続いて転送するローラー上でウェブに対して、第一に直接的又は間接的に発生する。
【０００３】
一般的なタイプのドクターブレードの自動配給システムがある（例えば、特許文献１を参照）。ドクターブレードロッドは、マシンのフレームに接続されるサポートに取り付けられた、ゴムの弾性物質から成るドクターブレードベッドに保持される。ドクターブレードベッドから離れて面する背面側において、ローラー又はウェブ上の自動配給されたフィルムの厚さが圧力管内の圧力の手段によってある範囲まで変化できるように、ドクターブレードベッドは圧力管によって支持される。ドクターブレードベッドにおいて、ドクターブレードに対して平行であり、例えば、洗浄液体である、水がドクターブレードロッドのベアリングを円滑にし、かつそこに浸透したコーティング物質を除去するために供給できる、ドクターブレードロッドに向かって開口である、２つの開口の洗浄チャンネルが存在する。圧力管によってサポートされるドクターブレードベッドのかかるドクターブレードの自動配給システムは、ロールドクターシステム（ｒｏｌｌ  ｄｏｃｔｏｒ  ｓｙｓｔｅｍ）と呼ばれる。合致ロール（ｍａｔｉｎｇ  ｒｏｌｌ）によって支持されるエリアでウェブ上に直接的に自動配給するために使用される。いわゆる回転式ドクターシステムは、ウェブがフリーランニングエリアでのドクターブレードの周囲に伝えられることで同様に周知である。それらのシステムを伴い、ドクターブレードベッドは圧力ホースなしで強固なホルダーに固定される。
【０００４】
ドクターブレードロッドは、通常は鉄鋼からなり、６ｍｍ乃至４０ｍｍの直径を有する。紙又は厚紙をコーティングするためのコーティング物質として一般に使用される色素のコーティングが高質な研磨材であるので、磨耗抵抗性を高めるために磨耗耐性物質でドクターブレードロッドの表面をコーティングする手順は周知である。適用の目的に依存して、滑らかな側面の曲面を有するドクターブレードロッド又は周辺の溝を備えるドクターブレードロッドが使用される。滑らかな側面の曲面を備えるドクターブレードの操作において、コーティング物質の所望量がギャップにより通過するように、かかる狭いギャップはコーティングされるウェブに関して存在する。周辺の溝を備えるドクターブレードは、自動配給中にウェブ又はロールと接触する。残存の適用の質量は、コーティング物質が通り抜けることができる溝の断面によって主に決定される。
【０００５】
ドクターブレードをスロットに安全に保持するために、周知のドクターブレードベッドは正確な規模で製造されるべきである。ドクターブレードベッドが比較的大型の断面を有するので、金属切断の手段によって達する、必要な規模の正確さ及び／又は要求された規模の正確さを達成するために、ドクターブレードベッドは鋳造工程で製造される。かかる製造は、物質集約型であり、労働集約型である。
【０００６】
操作中に回転するドクターブレードロッドは、ドクターブレードベッドに対して相当な消耗を引き起こす。結果として、物質集約型であり、労働集約型であるドクターブレードベッドは、規則的な間隔で配置されるべきである。かかる配置は、相当なコストを要する。コーティングの品質を害さずに消耗による置換コストを削減するために、特許文献２によるロールドクターシステムは、ドクターブレードベッドが挿入されたドクターブレードロッドと置き換えできる、スロットを伴うサポートを有する。ドクターブレードベッドは、可能な限り小さな摩耗部品として形態化される。
【特許文献１】デンマーク王国特許Ａ３０２２９５５号
【特許文献２】ドイツ国特許出願第１００４５５１５号
【発明の開示】
【発明が解決しようとする課題】
【０００７】
したがって、本発明の目的は、挿入されたドクターブレードロッドを伴うドクターブレードロッドが簡素な手法で置き換えできるような手法で、特許文献２によるドクターブレードの自動配給システムの改善をすることである。
【課題を解決するための手段】
【０００８】
かかる目的は、下記に記載の本発明により達成され、それらは
・ドクターブレードロッドが２５ｍｍ未満の直径を有し、
・ドクターブレードベッドがサポート（６）の正面のスロットに取り外し式に挿入され、それによってドクターブレードロッドの直径（ｍｍ）に対するドクターブレードベッドの断面エリア（ｍｍ２）の比率が６０ｍｍ未満、好ましくは３０ｍｍ未満であり、
・サポートはプラスチック物質からなり、少なくとも一つの後方に伸びるクランプリム及び一つの結合を有するクランプ状に形状化され、それによってドクターブレードベッドを収容する保持スロットはクランプあごを形成し、
・互いに向かってスロットを保持するスロット壁を押圧するクランプ管、
である。
【０００９】
本発明によると、ドクターブレードベッドは、可能な限り小型の磨耗部品として形態化され、結果として、従来のドクターブレードベッドよりも少ない物質を必要とする。わずかな物質が必要とされる事実はまた、高品質の使用を可能にする、すなわち、コーティングのための有効寿命を長くする高価な物質の使用を可能にする。サポートは磨耗部品ではない。したがって、例えば、金属の切断方法によって、より複雑な手法で精製できる。普遍的に使用することができ、異なる直径を有するドクターブレードロッドのための異なるドクターブレードロッドを収容できるような手法で形態化できる。さらに、２つの部分へのドクターブレードロッドにおけるサポートシステムの分割、つまり、ドクターブレードベッド及びサポートポートは、自動配給システムの機能的な挙動を改善するために様々な物質の組み合わせの使用を可能にする。したがって、例えば、ドクターブレードベッドは、ドクターブレードロッド、特に磨耗耐性に関して改善された密封する挙動において特に弾性となり、一方で
より多大な強堅が自動配給システムでの振動を防ぐようにサポートは堅い物質からなる。
【００１０】
クランプリム（ｃｌａｍｐ  ｌｉｍｂ）を押圧し、このように互いに向かって保持スロットのスロット壁を押圧する圧力管を備えたクランプ状のサポートの形状化は、ドクターブレードベッドを変化するためにクランプ管の圧力を低くすることによってサポートスロットの弛緩を可能にする。自動配給システムの操作段階において、挿入されたドクターブレードロッドを備えたドクターブレードベッドを安全に保持するように、クランプ管は圧力下にある。
【００１１】
本発明による自動配給システムの形態は、クランプ管中の圧力によってドクターブレードロッドがドクターブレードベッドで保持される緊張を制御することができるという追加的な利点を有する。ドクターブレードロッドの摩擦は、ドクターブレードベッドでのドクターブレードロッドの回転における緊張の関数であり、したがって、かかる摩擦は可能な限り低い値に設定できる。したがって、非常に広い（＞１０メートル）コーティング設備の場合、わずかな直径（１０ｍｍ乃至１２ｍｍ）のドクターブレードロッドは、過度なねじれ力なしで導かれる端部で使用できる。さらに、操作中のドクターブレードロッドの不利益な振動は、クランプ管内の圧力を介してシステムのダンピング効果を変化することによって避けることができる。クランプ管を備え、システムは、操作上の挙動が規制された量として仕える管の圧力で積極的に影響を受けることができる、追加的な制御要素を有利に有する。
【００１２】
従属項は、特に有利であることに好まれる本発明の実施態様を含む。
【００１３】
図面は、簡素化された形式で描写された実施態様に基づき発明を説明する役割をする。
【発明を実施するための最良の形態】
【００１４】
図に示された自動配給システムは、コーティングペンキで紙又は厚紙のウェブ１をコーティングするための装置の部分である。それはむしろ合致ロール２による自動配給システムのエリアでウェブ１がサポートされる、いわゆるロールドクターシステムである。同じ理由で、ドクターブレードの自動配給システムは間接的な自動配給のために使用することができ、それによってコーティング物質の予め自動配給されたフィルムは、最初にロール上に適用され、次いで、かかるロールからウェブに転送される。別の適用の可能性は、ウェブがロールによってサポートされないでフリーセクションでドクターブレードロッド上に移動される、いわゆる回転式ドクターシステムである。
【００１５】
自動配給システムから上流のロール２の回転方向において、コーティングペンキがウェブ１に余剰に適用される従来の適用システム（ノズルコーター、キス−ロールコーターなど）がある。
【００１６】
自動配給要素として、ドクターブレードの自動配給システムは、回転式ドライブがウェブ１に向かって部分的に開口しているドクターブレードベッド４で回転するように取り付けられたドクターブレードロッド３を有する。ドクターブレードロッド３の側面の曲面は、滑らかであるか、又は周辺の溝を備えて提供される。ドクターブレードロッド３の直径は、６ｍｍ乃至２５ｍｍの範囲である。好ましい直径は、９．７５ｍｍ、１０．００ｍｍ、１２．００ｍｍ、１２．７ｍｍ、１３．６５ｍｍ、１５．００ｍｍ、１５．８７ｍｍ及び１６ｍｍである。ドクターブレードロッド３の軸の長さは、１０メートルに達することができる、コーティング装置の作業幅と一致する。好ましくは、ドクターブレードロッドはステンレス鋼から成り、その側面の曲面は、耐磨耗性、例えばクロムめっきされるか、又はセラミック物質でコーティングされるようにコーティングされる。
【００１７】
ドクターブレードベッド４は、好ましくは少なくともある程度まで弾性物質から成る。実施態様によると、エラストマー（ゴム又はプラスチック）、好ましくはポリウレタンから成る。５０ＳｈｏｒｅＡ乃至６５ＳｈｏｒｅＤの範囲から成るドクターブレードベッド４の物質の硬さは、好ましくは、８５ＳｈｏｒｅＡ乃至９５ＳｈｏｒｅＡ間に位置する。したがって、ベッド４にコーティングペンキの流入を防ぐために、密封を生じるように結果としてベッド４がドクターブレードロッド３と接触して位置でき、この物質は比較的弾性である。周知の手法において、ドクターブレードベッド４は、ドクターブレードロッド３が挿入されるスロット１８を有し、それによってドクターブレードベッド４は少なくとも１８０°の角度範囲でドクターブレードベッド４を囲み、ドクターブレードロッド３は適所に安全に保持される。
【００１８】
代替として、ポリエチレンでドクターブレードベッド４を成すことがさらに可能である。次いで、必要とされる次元的な精度にする作業は、特に粉砕による切断方法で実行される。
【００１９】
ドクターブレードロッド３の直径（ｍｍ）に対するドクターブレードベッド４の断面エリア（ｍｍ２）の比率は、６０ｍｍ未満であり、好ましくは３０ｍｍ未満である。好ましくは、ドクターブレードロッド３の直径に対するドクターブレードベッド４の断面エリアの比率は、１０ｍｍ乃至２５ｍｍである。
【００２０】
１００ｍｍ２乃至４００ｍｍ２の断面エリアを備えるドクターブレードベッド４に挿入される１６ｍｍ以下の直径のドクターブレードロッドを有することは特に利点である。ドクターブレードベッド４は、コーティング装置の作業幅、すなわちドクターブレードロッド３の長さにわたって一定の断面を有する。ドクターブレードロッド３に向かって開口している少なくとも一つのチャンネル５は、操作段階においてドクターブレードベッド４で成され、水は潤滑剤及び洗剤として用いられるようにチャンネルに供給される。
【００２１】
ドクターブレードベッド４は、サポート６のスロット１８に取り外し可能な手法で挿入され、かかるスロットは、図３で特に明白であるように、ウェブ１に向かって開口である。スロット１８の断面エリアは、ポジティブ又はノンポジティブな接続によって適所にしっかりと固定されるように、ドクターブレードベッド４の外部の輪郭に適用される。好ましくは、サポート６のスロット１８の開口部は、少なくとも一つの突出１９、好ましくは２つの突出１９によって制限されて、さらにドクターブレードベッド４は、ドクターブレードベッド４が挿入される場合に突出１９の背後のサポート６に移動される、対応する数（実施態様では２つ）の合致する広げられたセクション２０を有し、その結果、挿入後にドクターブレードベッド４はサポート６に確実にクランプされる。
【００２２】
サポート６は、例えば、ポリエチレン又はポリウレタンなどのプラスチック物質から成る。物質の硬度は、５０Ｓｈｏｒｅ  Ａ乃至６５Ｓｈｏｒｅ  Ｄの範囲である。サポート６は、少なくとも一つの後方に延在するクランプリム１３と、一つの結合１５とを有するクランプ状に形状化される。ドクターブレードベッド４を収容する保持スロット１８は、クランプあごを形成する。クランプリム１３に配置された、サポート６の背面に、互いに向かう保持スロット１８のスロット壁を押圧し、圧縮空気で満たすことができるクランプ管１６がある。
【００２３】
図１による実施態様において、サポート６は、２つの後方に延在するクランプリム１３、１４を備えて形態化される。クランプ管１６は、２つのクランプリム１３と１４との間で配置される。
【００２４】
図２及び３による実施態様において、サポート６はクランプリム１３だけを有する。クランプ管１６は、スロット１８が成されるサポート６の主要部分に設置される。ドクターブレードベッド３をクランプするために、クランプ管はクランプリム１３を上方に押し上げ、結果として、したがって、クランプ管は保持スロット１８の上部のスロット壁を下方に押す。
【００２５】
好ましくは、結合１５として、クランプ管１６と保持スロット１８との間のサポート６のエリアは、厚さが薄い脆弱なスポットとして形態化される。図１による実施態様で、この目的において、スリット１７は、保持スロット１８の方向でクランプ管１６のエリアから延在するサポート６内に成される。図２及び３による実施態様において、サポート６は、保持スロット１８とクランプ管１６との間のエリアで相応して薄くなるように形態化される。スリット１７とドクターブレードベッド４との間の距離である、図１でクランプ管１６の方向で計測されたサポート６の厚さは、脆弱なスポットにおいて０．５ｍｍ乃至１０ｍｍであり、好ましくは１ｍｍ乃至３ｍｍである。これは、クランプリム１３、１４の適切な弾力を保証する。
【００２６】
サポート６は、自動配給システムのフレームの一部として、サポートビーム７のフット８に既知の手法で分離可能に固定される。図１による実施態様において、サポート６は、フット８に向かって開口し、傾斜したベアリング部１０であり、サポートビーム７にねじで留められたスロットに延在するコーティング装置の作業幅にわたって広く配置された回転式クランプ要素９でしっかりとクランプされる。図２及び３による実施態様において、フット８は、ねじ２２の手段によってサポートビーム７にねじで留められた、固定部分２１に向かって広がる。
【００２７】
サポート６の背面に、システムのフレームに支持されて、ドクターブレードベッド４の方向にサポート６を押し、サポート６の長さにわたって延在して広がる、圧力管１２がある。ウェブ１又はロールに対してドクターブレードロッド４の接触圧力を構築するために、圧力管１２は、システムのフレームに支持され、コーティングされるウェブ１の方向又はロールの方向でドクターブレードベッド４及びドクターブレードロッド３を備えるサポート６の背面を押圧する。これを可能にするために、サポート６のフット８のエリアは、少なくともある程度は弾性となるように成される。かかる実施態様において、弾力は、ベアリング部１０の固定位置と保持スロット１８を備える主要部分との間のより薄い断面横切りによって有効にされる。
【００２８】
図１による実施態様において、圧力管１２はベアリング部１０の垂直部の最上部に固定され、一方で図２及び３による実施態様では、圧力管１２はサポート６の背面である。
【００２９】
操作上の停止中において、挿入されたドクターブレードロッド３を備えるドクターブレードベッド４は、サポート６のスロット１８に位置され、一方で、クランプ管１６は圧力なしで位置される。図３に示されるように、クランプリム１３は、スロット１８がクランプ管１６に圧力無しで自動的に多少とも開くような手法でプレテンション（ｐｒｅ−ｔｅｎｓｉｏｎｅｄ）される。ドクターブレードベッド４の挿入後、圧縮空気はクランプ管１６に供給される。結果として、サポート６のスロット壁は互いに対して押圧され、ドクターブレードロッド３を備えるドクターブレードベッド４はサポート６に固定される。ここで圧力は上述のような手法で選択され、一方で、ベッド４及びロッド３は適所にしっかりと固定され、一方で、ドクターブレードロッド３の摩擦は十分に低い。操作段階で振動が発生する場合、圧力は目的を弱めるために変化する。
【図面の簡単な説明】
【００３０】
【図１】本発明によるドクターブレードの自動配給システムの実施態様の断面図である。
【図２】別の実施態様の断面図である。
【図３】図２による実施態様のドクターブレードベッドの置換を示す図である。
【図１】
2005519753.tif 000003
【図２】
2005519753.tif 000004
【図３】
2005519753.tif 000005
【国際調査報告】
2005519753.tif 000006
2005519753.tif 000007
2005519753.tif 000008
2005519753.tif 000009